(57)【要約】【課題】例えば竪樋、エアコン用のホース、電線などの種々の配管を外観性を損ねることなく配管作業やメンテナンス作業を効率よく行う。又室内への断熱性や遮音性などの悪影響を抑える。【解決手段】外壁１を、外装パネル７を用いた外壁部３と、内装パネル２１を用いた内壁部４とで形成する。外壁部３と内壁部４との間に、外装パネル７の内部スペースＨ４、隣り合う外装パネル７、７間の外装パネル間スペースＨ１、又は外装パネル７と内装パネル２１との間の内外装パネル間スペースＨ３から選択されるスペースＨを通って上下にのびる縦配管部３０ｘを少なくとも含む配管路３１が設けられる。前記配管路３１は、スペースＨ内に固定される誘導管３２と、この誘導管３２内を通る可撓性かつシームレス状の内管３３とからなる２重管構造をなす。【選択図】図１
2010275744.tif 000002
【特許請求の範囲】
【請求項１】
複数の柱と、この柱間を継ぐ梁材とからなる架構体に、外壁面を有する外壁部とその屋内側に配される内壁部とからなる外壁を形成する家屋の外壁構造であって、
前記外壁部は、前記柱の外面よりも屋外側に配されかつ前記架構体に支持される外装パネルを含んで形成され、
かつ前記内壁部は、前記柱間に配される下枠部を有しかつ前記架構体に前記外装パネルとは独立して支持されるとともに前記下枠部内に断熱材を配した内装パネルから形成されるとともに、
前記外壁部と内壁部との間には、前記外装パネルの内部スペース、隣り合う外装パネル間の外装パネル間スペース、又は外装パネルと内装パネルとの間の内外装パネル間スペースから選択されるスペースを通って上下にのびる縦配管部を少なくとも含む配管路が設けられる一方、
前記配管路は、前記内装パネルの架構体への取付前に前記スペース内に固定される誘導管と、この誘導管の一端部から挿入されて該誘導管内を通る可撓性の内管とからなる２重管構造をなし、しかも該内管は、少なくとも前記誘導管内を通る範囲において継ぎ目のないシームレス状をなすことを特徴とする家屋の外壁構造。
【請求項２】
前記外装パネル間スペースは、外壁の入隅部、又は出隅部に形成されることを特徴とする請求項１記載の家屋の外壁構造。
【請求項３】
前記内外装パネル間スペースは、外壁面を屋外側に突出させた外壁部のふかし部分に形成されることを特徴とする請求項１記載の家屋の外壁構造。
【請求項４】
前記梁材の屋外側に、外壁面の一部をなす幕板が配されるとともに、前記配管路は、前記幕板と前記梁材との間を通って該梁材に沿って伸びる横配管部を具え、該横配管部の誘導管は、エルボ継ぎ手を介して前記縦配管部の誘導管に連結されることを特徴とする請求項１〜３の何れかに記載の家屋の外壁構造。
【発明の詳細な説明】
【技術分野】
【０００１】
本発明は、架構体に、外壁面を有する外壁部とその屋内側に配される内壁部とからなる外壁を形成する家屋の外壁構造であって、詳しくは、前記外壁内に誘導管を取付けるとともに、この誘導管内に、例えばエアコン用のホース、電線、雨樋などである内管を通すことにより、配管を見栄え良くかつ配管作業やそのメンテナンス作業を効率よく行いうる家屋の外壁構造に関する。
【背景技術】
【０００２】
家屋の外壁面には、例えばエアコン用のホース、雨樋などの各種のパイプ類が露出して取り付けられているため、家屋の外観性を損ねる。そこで下記の特許文献１などには、外壁内に竪樋の一部を先に配設して竪樋を目隠しすることが提案されている。
【先行技術文献】
【特許文献】
【０００３】
【特許文献１】特開平１１−１４１０７５号公報
【発明の概要】
【発明が解決しようとする課題】
【０００４】
しかしながら、外壁内に竪樋を配設する場合、この竪樋によって室内への断熱性や遮音性などの問題を招く。又竪樋に劣化や損傷が生じた際の修理や交換などのメンテナンスにおいて、外壁の一部を取り外す必要が生じるなど作業が大掛かりとなってメンテナンス作業性を損ねるという問題も招く。
【０００５】
又例えばエアコン用のホース、電線などの他の配管においても、外観性向上のために目隠しすることが望まれる。しかし、これらエアコン用のホース、電線などの他の配管は、外壁施工後、通常は内装工事後においてその配管作業が行われるため、前述の外壁内に配管する工法を採用することは難しい。
【０００６】
そこで本発明は、外壁部と内壁部とに分割した外壁内のスペースを利用して、前記内壁部をなす内装パネルの取付前に前記スペース内に誘導管を予め施工しておき、その後、この誘導管内にシームレス状の可撓性内管を通すことを基本として、外壁施工後において、例えば竪樋、エアコン用のホース、電線などの種々の配管を内管として外壁内の前記スペースに通すことが可能となり、外観性を損ねることなく配管作業やメンテナンス作業を効率よく行いうるとともに、室内への断熱性や遮音性などの悪影響を抑えうる家屋の外壁構造を提供することを目的としている。
【課題を解決するための手段】
【０００７】
上記課題を解決するために、本願請求項１の発明は、複数の柱と、この柱間を継ぐ梁材とからなる架構体に、外壁面を有する外壁部とその屋内側に配される内壁部とからなる外壁を形成する家屋の外壁構造であって、
前記外壁部は、前記柱の外面よりも屋外側に配されかつ前記架構体に支持される外装パネルを含んで形成され、
かつ前記内壁部は、前記柱間に配される下枠部を有しかつ前記架構体に前記外装パネルとは独立して支持されるとともに前記下枠部内に断熱材を配した内装パネルから形成されるとともに、
前記外壁部３と内壁部４との間には、前記外装パネルの内部スペース、隣り合う外装パネル間の外装パネル間スペース、又は外装パネルと内装パネルとの間の内外装パネル間スペースから選択されるスペースを通って上下にのびる縦配管部を少なくとも含む配管路が設けられる一方、
前記配管路は、前記内装パネルの架構体への取付前に前記スペース内に固定される誘導管と、この誘導管の一端部から挿入されて該誘導管内を通る可撓性の内管とからなる２重管構造をなし、しかも該内管は、少なくとも前記誘導管内を通る範囲において継ぎ目のないシームレス状をなすことを特徴としている。
【０００８】
又請求項２の発明では、前記外装パネル間スペースは、外壁の入隅部、又は出隅部に形成されることを特徴と
【０００９】
又請求項３の発明では、前記内外装パネル間スペースは、外壁面を屋外側に突出させた外壁部のふかし部分に形成されることを特徴と
【００１０】
又請求項４の発明では、前記梁材の屋外側に、外壁面の一部をなす幕板が配されるとともに、前記配管路は、前記幕板と前記梁材との間を通って該梁材に沿って伸びる横配管部を具え、該横配管部の誘導管は、エルボ継ぎ手を介して前記縦配管部の誘導管に連結されることを特徴としている。
【発明の効果】
【００１１】
本発明は叙上の如く、外壁を、外壁部と内壁部とに分割する一方、この外壁部と内壁部との間のスペースに、縦配管部を収納している。そして、この縦配管部を含む配管路は、内壁部の施工前に前記スペース内に固定される誘導管と、この誘導管内を通るシームレス状の可撓性の内管とから形成される。
【００１２】
このように配管路が、外壁内を通ることで目隠しされるため、外観性の低下を防止できる。又誘導管を、内壁部の施工前に事前に配置しているため、内壁部の施工後においても、例えば竪樋、エアコン用のホース、電線などの種々の配管を内管として前記誘導管を介して外壁内に配管することができる。このとき、前記内管は、可撓性を有するシームレス状をなすため、誘導管が非直線状をなす場合にも、誘導管内で引っ掛かることなく円滑に挿入することができ、配管作業を効率よく行いうる。又メンテナンスに際しても、前記内管を誘導管の一端から出し入れすることで容易に対応しうるため、メンテナンス作業も効率よく行いうる。
【００１３】
又前記配管路は、断熱材を内蔵する内装パネルよりも屋外側に配される。そのため、前記断熱材による断熱効果及び遮音効果により、前記配管路に起因する室内への断熱性や遮音性の悪影響を抑えることが可能となる。
【図面の簡単な説明】
【００１４】
【図１】本発明の家屋の外壁構造の一実施例を概念的に示す横断面図である。
【図２】内装パネル体の一実施例を示す斜視図である。
【図３】内装パネル及び外装パネルの取り付き状態を示す縦断面図である。
【図４】出隅部における内装パネル及び外装パネルの取り付き状態を示す横断面図である。
【図５】外装パネル体の一実施例を示す斜視図である。
【図６】入隅部における内装パネル及び外装パネルの取り付き状態を示す横断面図である。
【図７】ふかし部分における内装パネル及び外装パネルの取り付き状態を示す縦断面図である。
【図８】配管用の外装パネルの一実施例を示す斜視図である。
【図９】配管路が雨樋用の配管路をなす場合の側面図である。
【図１０】（Ａ）は配管受け具の一実施例を示す平面図、（Ｂ）その他の実施例を示す斜視図である。
【図１１】配管路が電線用の配管路をなす場合の側面図である。
【発明を実施するための形態】
【００１５】
以下、本発明の実施の形態について、詳細に説明する。
図１は、本発明の家屋の外壁構造の一実施例を概念的に示す横断面図であって、家屋の架構体２に、外壁面Ｓｏを有する外壁部３と、その屋内側に配される内壁部４とからなる外壁１が形成される。
【００１６】
前記架構体２は、外壁１の入隅部Ｐｉおよび出隅部Ｐｏの各位置で立設するコーナ柱５Ａを含む複数の柱５と、柱５同士を水平に継ぐ梁材６（図３、１１に示す。）とからなる周知構造をなす。なお本例では、前記柱５が角管からなり、かつ梁材６が、垂直なウエブ６ａの上下にフランジ６ｂ、６ｂを設けたＩ型鋼からなる場合を例示しているが、柱５、梁材６を木質材で形成することもできる。
【００１７】
次に、前記内壁部４は、前記柱５、５間に配される下枠部２０を有する内装パネル２１から形成される。この内装パネル２１は、図２に示すように、上下の横枠材２０ａ、２０ｂの両側端間を縦枠材２０ｃ、２０ｃで連結した矩形枠組み状の下枠部２０と、この下枠部２０に屋内側で添設される内装下地板２２とを具える。又下枠部２０の内部には、例えばグラスウールなどからなる断熱材２３が充填されるとともに、この断熱材２３は、前記下枠部２０に屋外側で取り付く押え板２４によって抜け止めされる。なお前記内装パネル２１は、一方の側縁側に、内装下地板２２の側縁が下枠部２０の側縁よりも小距離突出する突出部２２Ａを有するとともに、他方の側縁側には、内装下地板２２の側縁が下枠部２０の側縁よりも同距離だけ控える控え部２２Ｂを有する。
【００１８】
このような内装パネル２１は、図３に示すように、本例ではその下端部が、床パネル１８上に載置、保持されるとともに、その上端部は、前記梁材６に内装パネル取付金具２５を介して固定される。又幅方向に隣り合う内装パネル２１、２１同士は、図４に示すように、下枠部２０、２０同士を互いに突き合わせ、かつ一方の内装パネル２１の前記突出部２２Ａを、他方の内装パネル２１の控え部２２Ｂに重ね合わせることにより連結される。
【００１９】
次に、前記外壁部３は、前記柱５の外面よりも屋外側に配される複数の外装パネル７と、前記出隅部Ｐｏに配される略Ｌ字状の出隅用外装板１１とを含んで形成される。前記外装パネル７は、図５に示すように、上下の横枠材８ａ、８ｂの両側端間を縦枠材８ｃ、８ｃで連結した矩形枠組み状の下枠部８と、この下枠部８の屋外側に木質の矩形枠状の下地枠９を介して添設される外装板１０とを具える。本例では、前記横枠材８ａ、８ｂ、及び縦枠材８ｃは、それぞれウエブ片１２ａの両側縁に、フランジ片１２ｂ、１２ｂを設けた断面コ字状の溝形鋼からなり、各溝部を向かい合わせて連結される。なお外装板１０は、その外面が前記外壁面Ｓｏを構成する。
【００２０】
このような外装パネル７は、一階部分においては、前記図３に示すように、その上端部が、前記梁材６に略Ｌ字状の外装パネル取付金具１３を介して固定され、又下端側部においては、基礎Ｆに略Ｌ字状の外装パネル取付金具１４を介して固定される。又二階部分等の階上部分においては、外装パネル７の上端部及び下端側部が、それぞれ階上／階下の各梁材６に、前記外装パネル取付金具１３、１４と略同様の外装パネル取付金具１５を介して固定される。又図４に示すように、幅方向に隣り合う外装パネル７、７同士は、互いに向き合う下枠部８のウエブ片１２ａ、１２ａ間をボルト固定することにより互いに連結される。
【００２１】
又前記出隅部Ｐｏで略直角に隣り合う外装パネル７、７同士は、そのウエブ片１２ａ、１２ａ間を、前記コーナ柱５Ａを避けて略Ｗ字状に折れ曲がる外装パネル取付金具１６を介してボルト固定することにより連結される。又前記出隅用外装板１１は、一方の外装パネル７の外装板１０に整一する外装板部１１Ａと、他方の外装パネル７の外装板１０に整一する外装板部１１Ｂとを接続したＬ字状をなし、前記一方，他方の外装パネル７の下地枠９、９間に跨って該下地枠９に固定される。なお出隅部Ｐｏで隣り合う一方，他方の外装パネル７の各側端部は、前記コーナ柱５Ａの略幅中心線ｉ上で終端し、従って、この出隅部Ｐｏで隣り合う外装パネル７、７間には、外壁面Ｓｏをなす出隅用外装板１１よりも屋内側かつ内装パネル２１からなる内壁部４よりも屋外側の位置に、本例では、外壁部３の上端から下端まで連続してのびる広い外装パネル間スペースＨ１が形成される。
【００２２】
又図６に示すように、前記入隅部Ｐｉで略直角に隣り合う外装パネル７、７同士は、そのウエブ片１２ａ、１２ａ間を、略Ｌ字状の外装パネル取付金具１７を介してボルト固定することにより連結される。このとき、一方，他方の外装パネル７の外装板１０が近接することにより、この入隅部Ｐｉで隣り合う外装パネル７、７間にも、外壁面Ｓｏをなす外装板１０よりも屋内側かつ内装パネル２１からなる内壁部４よりも屋外側の位置に、外壁部３の上端から下端まで連続してのびる広い外装パネル間スペースＨ２が形成される。
【００２３】
又本実施形態の外壁１には、図１に示すように、外壁１の意匠性、及び／又は敷地対応のために、外壁面Ｓｏの一部を屋外側に突出量ｘで突出させた外壁部３のふかし部分Ｑが形成されている。本例では、前記ふかし部分Ｑが出隅部Ｐｏに隣接して形成される場合が例示されるが、例えば出隅部Ｐｏ、Ｐｏ間の中間位置など、自在な位置に形成することができる。
【００２４】
該ふかし部分Ｑでは、図７に示すように、前記外装パネル７と略同構成のふかし用の外装パネル７Ａを、前記外装パネル取付金具１３、１４、１５に比して梁材６からの突出量が大な外装パネル取付金具１３ｑ、１４ｑ、１５ｑを用いて梁材６等に固定することにより形成される。なお、前記ふかし用の外装パネル７Ａの両側端は、前記出隅用外装板１１と略同様のＬ字状外装板１１ｑによって閉止される。なお、前記ふかし部分Ｑの屋外側への突出量ｘ、及び横幅ｗは、特に規制されないが、意匠性向上の場合、通常、前記突出量ｘは１５０ｍｍ程度、横幅ｗは９００ｍｍ程度である。従って、前記ふかし用の外装パネル７Ａと内装パネル２１との間には、外壁部３の上端から下端までの間を連続してのびるとともに、前記外装パネル間スペースＨ１、Ｈ２よりも十分に広い内外装パネル間スペースＨ３が形成される。
【００２５】
又前記外装パネル７には、横幅が例えば１５０ｍｍ程度と幅狭の配管用の外装パネル７Ｂを含めることができる。この配管用の外装パネル７Ｂは、図８に示すように、他の外装パネル７、７Ａと同様、矩形枠組み状の下枠部８と、この下枠部８の屋外側に木質の矩形枠状の下地枠９を介して添設される外装板１０とを具えて構成されるが、下枠部８の上端面、下端面にそれぞれ開口部２６が形成される点で、他の外装パネル７、７Ａと相違する。具体的には、配管用の外装パネル７Ｂの下枠部８は、本例では、左右の縦枠材８ｃ、８ｃの向き合うフランジ片１２ｂ、１２ｂ間が、平板状の上下の横枠材８ｄによって連結される。これにより、前記下枠部８の上端面、下端面を開口させている。従って、この配管用の外装パネル７Ｂには、前記開口部２６を通って上下に連続してのびる内部スペースＨ４を形成することができる。なお配管用の外装パネル７Ｂは、幅狭であることにより、前記開口部２６に起因する剛性低下を抑え、必要な剛性強度を確保しうる。
【００２６】
次に、前記外壁部３と内壁部４との間には、図１に示すように、前記外装パネル間スペースＨ１、Ｈ２、内外装パネル間スペースＨ３、及び内部スペースＨ４から選択されるスペースＨを通って上下にのびる縦配管部３０を少なくとも含む配管路３１が配される。そして、前記配管路３１は、前記内装パネル２１の架構体２への取付前に前記スペースＨ内に固定される誘導管３２と、この誘導管３２の一端部から挿入されて該誘導管３２内を通る屈曲自在な可撓性の内管３３とからなる２重管構造をなす。
【００２７】
本例では、図１において、
・左上出隅部Ｐｏ１の外装パネル間スペースＨ１Ａを通る縦配管部３０Ａｘを有する配管路３１Ａ、
・左下出隅部Ｐｏ２の外装パネル間スペースＨ１Ｂを通る縦配管部３０Ｂｘを有する配管路３１Ｂ、
・右下出隅部Ｐｏ３の外装パネル間スペースＨ１Ｃを通る縦配管部３０Ｃｘを有する配管路３１Ｃ、
・左下入隅部Ｐｉ１の外装パネル間スペースＨ２Ｄを通る縦配管部３０Ｄｘを有する配管路３１Ｄ、
・右中央側の内部スペースＨ４Ｅを通る縦配管部３０Ｅｘを有する配管路３１Ｅ、及び
・右上ふかし部分Ｑの内外装パネル間スペースＨ３Ｆを通る縦配管部３０Ｆ１ｘ、３０Ｆ２ｘ、３０Ｆ３ｘを有する配管路３１Ｆ１、３１Ｆ２、３１Ｆ３が配される場合が例示される。
【００２８】
このうち本例では、配管路３１Ａ、３１Ｂ、３１Ｆ３は、それぞれ雨樋用の配管路として形成される。具体的には、図１，９に略示するように、屋根軒先部には、軒先縁に沿ってのびる胴部３５ａと、この胴部３５ａから例えば集水器（図示しない）等をへて屋内に向かってのびる引き込み管部３５ｂとを具える軒樋３５が、それぞれ配される。そして、各前記引き込み管部３５ｂの下端に、前記内管３３の上端部が連結される。
【００２９】
他方、前記外壁部３と内壁部４との間には、前記外装パネル間スペースＨ１Ａ、Ｈ１Ｂ、及び即ち内外装パネル間スペースＨ３Ｆを通って、上下にのびる縦の誘導管部３２ｘを有する誘導管３２が配される。この誘導管３２の上端部は、図９の如く、前記外装板１０、１１、１１ｑなどに設ける屋外導入口３６に接続される。又前記誘導管３２の下端部は、本例では、外壁部３の下端近傍の高さ位置で終端している場合が例示されているが、外壁部３の下端を越えて、地上の下水管入り口３７まで延在させることもできる。
【００３０】
ここで、前記誘導管３２は、図１０（Ａ）に示すように、先に取り付けられる前記外装パネル７、７Ａ、７Ｂの下枠部８、及び／又は前記外装パネル取付金具１３、１４、１５、１３ｑ、１４ｑ、１５ｑ、梁材６等である支持部材４１に、配管受け具４０を介して固定される。前記配管受け具４０は、誘導管３２の周囲を囲む環状受け部４０ａと、この環状受け部４０ａから半径方向に突出しかつその突出端が前記支持部材４１等にナット止めされるアーム部４０ｂとを具える。又本例の如く、ふかし部分Ｑの内外装パネル間スペースＨ３Ｆのように、１つのスペース内に、例えば２本、３本等の複数本の誘導管３２を配することができ、係る場合には、図１０（Ｂ）に示すように、一つの台板４７に複数の配管受け具４０を並設させたものを予め用意し、これを使用することができる。
【００３１】
又前記引き込み管部３５ｂに接続される内管３３は、前記屋外導入口３６から挿入されて誘導管３２内を通るとともに、その下端部は、例えば前記下水管入り口３７に接続される。なお前記内管３３は、少なくとも誘導管３２内を通る範囲において継ぎ目のないシームレス状をなすことが必要であり、前記可撓性を有すること、及びシームレス状をなすことにより、前記誘導管３２が非直線状をなす場合にも、誘導管３２内で引っ掛かることなく、内管３３を円滑に配管することができる。
【００３２】
次に、本例では、前記配管路３１Ｅ，３１Ｆ１、３１Ｆ２は、エアコンの冷却媒体循環ホース及びドレインホースであるエアコン用の配管路として形成される。具体的には、図７に示すように、前記内外装パネル間スペースＨ３Ｆ、及び内部スペースＨ４Ｅを通って上下にのびる縦の誘導管部３２ｘを有する誘導管３２を、前記外壁部３と内壁部４との間に取り付ける。なお図７は、前記内外装パネル間スペースＨ３Ｆの場合が示されている。この縦の誘導管部３２ｘは、前記雨樋用の配管路３１Ｆ１、３１Ｆ２、３１Ｆ３の場合と同様、配管受け具４０を介して、前記下枠部８などの支持部材４１に固定することができる。なお誘導管３２の上端は、前記内装パネル２１に設ける室内導入口４２に接続されるとともに、前記誘導管３２の下端部は、外壁部３の下端近傍の高さ位置で終端している。
【００３３】
そして、室内にエアコン４３を設置した時、このエアコン４３からのびるエアコン用ホースである内管３３を、前記室内導入口４２から挿入する。これにより前記内管３３を、誘導管３２を通って下方に案内できかつ内管３３の下端部を誘導管３２の下端から引き出すことができる。又引き出された内管３３の下端部は屋外に設置の各室外機５０に接続される。
【００３４】
このように、外壁１内に誘導管３２を事前に設置することで、エアコン取付など、内装部４施行後の後工事に対しても、内管３３を外壁１内に円滑に配置することが可能となり、配管作業及びそのメンテナンス作業を能率良く行うことができる。
【００３５】
次に、本例では、前記配管路３１Ｄは、電線用の配管路として形成される。具体的には、配管路３１Ｄは、図１１に示すように、該梁材６に沿って横向きに伸びる横配管部３０Ｄｙと、前記入隅部Ｐｉ１の外装パネル間スペースＨ２Ｄを通る縦配管部３０Ｄｘとを具える。なお一階及び２階の各天井裏空間Kには、前記梁材６の屋外側に、外壁面Ｓｏの一部をなす幕板４５（図３に示す）が添設されており、前記横配管部３０Ｄｙは、前記幕板４５と梁材６との間の横スペースＨｙを通って配管される。より詳しくは、前記横配管部３０Ｄｙの誘導管部３２ｙは、下枠部８等である支持部材４１に固定される前記配管受け具４０を介して、該梁材６に沿って取り付けられる。又前記誘導管部３２ｙの一端部は、エルボ継ぎ手４６を介して屋内側に折れ曲がり、本例では、前記梁材６の例えばウエブ６ａに設ける孔部６Ｈを通って、天井裏空間K内にて開口している。又前記誘導管部３２ｙの他端部は、エルボ継ぎ手４６を介して、前記外装パネル間スペースＨ２Ｄをのびる縦配管部３０Ｄｘの誘導管部３２ｘに連結される。そして、例えば室内の分電盤から引き込み線側にのびる電線である内管３３は、前記天井裏空間Kにて前記誘導管部３２ｙに挿入され、誘導管部３２ｙ、３２ｘをへて、屋外のメータに接続される。
【００３６】
以上、本発明の特に好ましい実施形態について詳述したが、前記配管路３１は、雨樋、エアコン用の冷却媒体循環ホース、ドレインホース、電線の他、水道用ホース（水道管）、ガス用ホース（ガス管）などの種々の配管のために使用することができる。又誘導管３２として、本例では丸管の場合が例示されているが、角管を使用することもでき、又その太さ、及び内管３３の太さ等は、用途に応じて適宜設定することができるなど、本発明は図示の実施形態に限定されることなく、種々の態様に変形して実施しうる。
【符号の説明】
【００３７】
１     外壁
２     架構体
３     外壁部
４     内壁部
５     柱
６     梁材
７     外装パネル
２０   下枠部
２１   内装パネル
２３   断熱材
３０ｘ 縦配管部
３０ｙ 横配管部
３１   配管路
３２   誘導管
３３   内管
４５   幕板
４６   エルボ継ぎ手
Ｈ     スペース
Ｈ１、Ｈ２    外装パネル間スペース
Ｈ３   内外装パネル間スペース
Ｈ４   内部スペース
Ｐｉ   入隅部
Ｐｏ   出隅部
Ｑ     ふかし部分
Ｓｏ   外壁面
【図１】
2010275744.tif 000003
【図２】
2010275744.tif 000004
【図３】
2010275744.tif 000005
【図４】
2010275744.tif 000006
【図５】
2010275744.tif 000007
【図６】
2010275744.tif 000008
【図７】
2010275744.tif 000009
【図８】
2010275744.tif 000010
【図９】
2010275744.tif 000011
【図１０】
2010275744.tif 000012
【図１１】
2010275744.tif 000013